(57)【要約】【課題】ゴルフ球に順スピンをかけることができ、ゴルフ球を素直な玉筋で前方に転がし出すことができるオーバーロフトゴルフパタークラブを提供する。【解決手段】グリップを手にしたゴルファーが、地面に対してシャフト軸が目前を通る垂直面内に来るようアドレスし、肩の付近に設定したスイング軸の回りにスイングし、前記シャフト下端に備えたヘッド前方に置かれた球を前記ヘッドのフェース面で叩いてカップ方向に投球するのに用いられるゴルフパタークラブにおいて、前記ヘッドの前記フェース面を、前記シャフト軸の前方に設け、前記フェース面の下端位置がその上端位置より後方に来るよう、一定角度傾斜させたことを特徴とするゴルフパタークラブ。【選択図】      図１
2004187995.tif 000002
【特許請求の範囲】
【請求項１】
グリップを手にしたゴルファーが、地面に対してシャフト軸が目前を通る垂直面内に来るようアドレスし、肩の付近に設定したスイング軸の回りにスイングし、前記シャフト下端に備えたヘッド前方に置かれた球を前記ヘッドのフェース面で叩いてカップ方向に投球するのに用いられるゴルフパタークラブにおいて、
前記ヘッドの前記フェース面を、前記シャフト軸の前方に設け、
前記フェース面の下端位置がその上端位置より後方に来るよう、一定角度傾斜させたことを特徴とするゴルフパタークラブ。
【請求項２】
請求項１に記載のゴルフパタークラブにおいて、前記傾斜の角度は、３°であることを特徴とするゴルフパタークラブ。
【発明の詳細な説明】
【０００１】
【発明の属する技術分野】
本発明は、ゴルフパタークラブに関し、詳しくはゴルフ球に順スピンをかけることができ、ゴルフ球を素直な玉筋で前方に転がし出すことができるゴルフパタークラブに関する。
【０００２】
【従来の技術】
ゴルフパタークラブとしてはＰタイプのものと、マレットタイプのものが知られており、各ゴルファーの好みに応じて使い分けられている。各ゴルフパタークラブは直線的なシャフトの下端にヘッドを有し、後端にグリップを有する。各ゴルファーは、グリップを手にし、一般には、地面に対してシャフト軸を目前を通る垂直面内に来るようアドレスを取り、肩の付近に設定したスイング軸の回りにスイングし、ヘッド前方に置かれた球を前記ヘッドのフェース面で叩いてカップ方向に投球する。
【０００３】
ところが、前記ヘッドで叩かれたゴルフ球は、素直に直進するとは限らない。１つには、ゴルフ球に逆スピン、即ち、転がり方向と逆方向のスピンがかかるという問題である。また１つには、飛球角度が高く、投球強度（速度）が大きいと、ゴルフ球が高く飛び上り、着地地点で逆スピンを受けつつ跳ね、ゴルファーの思い通りの動きをしなくなるという問題点である。ゴルフパタークラブは、グリーン上での繊細なプレーを行うものであり、プレーとしては正確性が重要であり、ゴルフパタークラブとしては、素直な球を打てることが最も重要なファクターである。
【０００４】
従来の正確性向上を目的としたゴルフパタークラブの例としては、例えば特開２００１−１２０６９５号公報（ゴルフパター）の例がある。このゴルフパタークラブは、フェース面とクラブ軸たるシャフト部の交差角度を０〜１２°程度に設定し、前記シャフト部へのヘッド取付点をゴルファー側から見て前後均等とすると共に、ヘッド重心を飛球方向に対し前記取付けより後方位置としたものである。これにより、競技者が片手で、かつ自然体で楽にパッティング動作を行うことができ、しかもスイートスポットエリアが広く全体のバランスも良く、パッティングの正確性向上を図ることができるとされている。しかし、このパタークラブは、あくまで競技者が片手操作することを目的として、片手操作による自然体、即ちシャフトが０〜１２°曲った状態においてフェース面が垂直となる様にしたものである。即ち、正確性向上のためには投球時のフェース面が垂直であることと説明されている。
【０００５】
しかしながら、通常ゴルフにおいて、投球時にフェース面が垂直であると、比較的素直に前方に飛び出すが、ゴルフ球にスピンがかからないので、飛球は僅か飛び跳ねた後の落下地点で回転開始し、そのときの摩擦状態、ひねりの状態にて曲り、減速して素直に飛ばず、不満足な結果となる。
【０００６】
これに対し、フェース面の下端を上端に対し７°近く前方に傾斜させた例があるが、この場合には、ゴルフ球の赤道下部を投球して、球を上方に持ち上げ、前方に飛ばすことができるが、大きな逆スピンがかかり、投球の前方への転がりが悪く、かつ方向性が悪くなる。
【０００７】
ゴルフパターでは、グリーン上での１〜１０ｍの投球において、軽く、又は強く投球し、狙いを正確にしてカップ方向に投球しなければならない。そのために、いかなる強さで投球するも、順スピンを使っての素直な玉筋で前方に叩き出せることが理想的である。
【０００８】
また、従来の順スピンをかけることのできるゴルフパタークラブとしては、実用新案登録第３０５７４５６号公報（オーバースピンパター）がある。これは、フェース面の縦幅を通常のもの２５ｍｍに対し、その２倍程度に広くし、かつ０〜５°の逆のロフトをつけ、球の中心をヘッド重心で打つことにより、順スピンをかけやすくするというものである。
【０００９】
しかしながら、このオーバースピンパターは、順スピンをかけやすくすることはできるが、必ず順スピンがかけられるとは限らない。また、必要十分なスピンがかけられるとも限らない。実験によれば、ロフト角度が０°〜１°の場合は、ほとんど順スピンがかからず、パタータイプ及びアドレス状態によって異なる。さらに、ロフト角度４〜５°では、投球が打った直後、地面から跳ね上る傾向も見られ、素直な投球が得られない。加えて、フェース面の縦幅を通常のパターより広くすると、通常ゴルファーにとっては、その弊害が生じ、アドレスし難く返ってプレーし難くなるという問題点が有る。
【００１０】
【特許文献１】
特開２００１−１２０６９５号公報、第１頁、図１
【００１１】
【特許文献２】
実用新案登録第３０５７４５６号公報、第１頁、図１
【００１２】
【発明が解決しようとする課題】
上記従来技術に鑑みて本発明は、グリーン上での通常ゴルフにおいて、順スピンを伴っての素直な玉筋でゴルフ球を投球することができる理想的なゴルフパタークラブを提供することを目的とする。
【００１３】
【課題を解決するための手段】
上記課題を解決する本発明のゴルフパタークラブは、グリップを手にしたゴルファーが、地面に対してシャフト軸を目前を通る垂直面内としてアドレスし、肩の付近に設定したスイング軸の回りにスイングし、ヘッド前方に置かれた球を前記ヘッドのフェース面で叩いてカップ方向に投球するのに用いられるゴルフパタークラブにおいて、
前記ヘッドの前記フェース面を、前記クラブ軸の前方に設け、
前記フェース面の下端位置がその上端位置より後方に来るよう、一定角度傾斜させたことを特徴とする。
【００１４】
前記傾斜の角度は、３±１℃が好ましく、丁度３°が最適である。丁度３°と定めた場合にも、製作上の誤差１°を含めて３±１°となる。
【００１５】
本発明のゴルフパタークラブでは、目前を通る垂直面内でシャフト軸を構えてスタンスをとるとき、フェース面は、その下端が上端より後方に来る傾斜面とされているので、投球時のフェース面は、正規のアドレスでは、必ずゴルフ球の赤道上部で接触し、かつフェース面がシャフト軸より前方に位置するので、フェース面がゴルフ球に接触したとき、フェース面がゴルフ球を押し上げる方向の力が発生し、投球に順スピンをかけることができる。
【００１６】
赤道上部での接触位置と、スピンの量は、フェース面の傾斜角度の関数であり、この値を３±１°とするので、共に好ましい。
【００１７】
表１、表２、表３に平面グリーン、上りグリーン、下りグリーンにおける夫々の転がり実験結果を示す。表４には、各グリーンについての方向性の実験結果を示す。表中、θは、フェース面の下端が上端より後方にくるときの傾斜角度を示す。Ｎは、実験回数を示す。スイング角度は、一様に１５°に設定した。
【００１８】
【表１】
2004187995.tif 000003
【表２】
2004187995.tif 000004
【表３】
2004187995.tif 000005
【表４】
2004187995.tif 000006
表１に示されるように、平面グリーン、上りグリーン、下りグリーン共に、θ＝５°までにおいて、傾斜角度θが大となるほど、順スピン量が大となって、転がり量が大となる。その程度は、１〜２°においては小さいが、３°以上で漸次増大する。この限りにおいて、傾斜角度θは３°以上が好ましいと言える。一方で、表４に示されるように、傾斜角度θが４°以上となると平面グリーンにあってはやや跳ね上りの現象が発生し、上りグリーンにあっては、跳ね上り現象が発生する。即ち、傾斜角度θ＝４°以上では、ゴルフ球を地面に押し下げる力の発生によって打球直後の跳ね上り現象の傾向が出始めるので、玉筋に素直さが出なくなる恐れがある。
【００１９】
以上の実験結果より、傾斜角度が２°未満の場合にはスピンの量が微小で効果が小さい。また、傾斜角度を４°以上とする場合には、投球を地面に向かって押し下げる作用が発生し、投球の跳ね上り現象が発生する。
【００２０】
そこで本発明のゴルフパタークラブでは、傾斜角度θを３±１℃（４°を除く）とし、順スピンをかけつつ、素直に前方に転がし出すことができるようにした。
【００２１】
従って、本発明のゴルフパタークラブによれば、シャフト軸を目前を通る垂直面内に位置させるアドレスを取ることを条件として、ゴルフ球に順スピンをかけることができ、ゴルフ球を素直な玉筋で前方に転がし出すことができる。上りグリーンであっても下りグリーンであっても同様である。
【００２２】
３°±１°の傾斜角度は、微妙であるが、この微妙さに加えてアドレス角度の調節を加えれば、プロの技にて更に妙味の有るプレーが可能となる。
【００２３】
【発明の実施の形態】
以下、添付図面を参照して本発明の一実施の形態を説明する。図１及び図２は、本発明の一実施形態に係る、ゴルフパタークラブの側面図を示す。
【００２４】
図１に示すように、本発明の一実施形態に係るゴルフパタークラブ１は、シャフト２の下端にヘッド３を有すると共に、手元にグリップ４を備えている。ヘッド３の縦幅は、ゴルフ球５の直径４２ｍｍに対し例えば２５ｍｍとされる。この点、通常市販のゴルフパタークラブと異なるところがない。
【００２５】
図１において、ゴルファー（図示せず）は、紙面前方で芝６上に立ち、グリップ４を両手に取り、肩の高さで定まるスイング軸７を基準として、シャフト２を目前でスイングする。ここでは、シャフト２の直線部分を通る線をシャフト軸８と呼び、スイング角度をαとする。本発明では、アドレスにおいて、シャフト軸８を地面９に対し垂直面内にとるものとする。これは、通常、当然のスタンスである。
【００２６】
本発明の一実施形態に係るゴルフパタークラブ１では、ヘッド３の前方のフェース面３Ｆの下端を上端より後方に３°傾斜させている。また、フェース面３Ｆの少なくとも中心、実際には全体をシャフト２の中心軸より前方に位置させている。シャフト２の中心軸は、即ちシャフト軸８であるので、フェース面３Ｆは、アドレス時において、スイングされる垂直なシャフト軸８より、前方に位置することとなる。フェース面３Ｆは、ＮＣミルド等で平滑に仕上る。正確なプレーを行うためには、ゴルファーのフェース面３Ｆの制御が必要であり、通常通りの簡素さが必要だからである。
【００２７】
以上の構成のゴルフパタークラブ１の作用を図２を用いて示す。まず、フェース面３Ｆは傾斜角３°とされ、フェース面３Ｆはアドレス時に垂直なシャフト軸８の前方に位置するよう構成されている。従って、ゴルフパタークラブ１を、図１に示したスイング軸７の回りでスイングすると、フェース面３Ｆは、３°の角度をもってゴルフ球と接触する。接触位置は、計算上、ゴルフ球の直径を４２ｍｍとしてゴルフ球５の中心５Ｃを通る赤道５Ｅの１.０９ｍｍ上方位置となる。
【００２８】
ゴルフ球５へのフェース面３Ｆの接触点ＰＳが赤道５Ｅの僅か上方位置であるので、ゴルフ球５の飛方向５Ｒはほぼ水平となる。点ＰＳは接触寸前の点を、点ＰＥは、離反時の点を示す。離反点ＰＥは、接触点ＰＳより、僅かに上方となる。スイング軸７と各点ＰＳ、ＰＥを通る線を１０、１１で示す。点ＰＳ及び点ＰＥは、共にスイング軸７の回りの円弧１２上に位置するので、ゴルフ球５に順方向１３のスピンがかかる。
【００２９】
以上により、本発明のゴルフパタークラブ１でパッティングをすると、正規のアドレススタンスを取ること、即ちシャフト軸８を地面９に垂直にすることを条件として、３°の傾斜角をもつフェース面３Ｆでゴルフ球５を前方に飛ばすことができる。このとき、ゴルフ球５には順方向１３のスピンがかかり、素直に前方に転がる。
【００３０】
以上示したゴルフパタークラブにおいて、傾斜角を３°とする点は重要である。既に示したように、１〜２°の角度では、十分なスピンが得られない。また、４°以上ではゴルフ球５を下方に押し下げる作用が強く跳ね上り現象を示すからである。
【００３１】
図３に示すように、スイング速度を大とすると、スピンの量も大となる。傾斜の角度が２°以上の場合、所望のスピンが得られる。この限りにおいて傾斜の角度はより大きくとも良い。しかし、図４に示すように、傾斜の角度を４°以上とすると、ゴルフ球５を下に押し下げ跳ねより現象が発生する。これらの点から本発明の傾斜角度は２°以上、４°未満で、３°が丁度良い値となる。
【００３２】
平面グリーン、上りグリーン、下りグリーンであっても同様である。ただし、上りグリーンにあっては、他に対し、より大きなスイング力を必要とする。このため、表４に示すように、跳ね上り現象が大となる傾向が見られる。しかるに本発明では、傾斜の角度を４°未満とするので、全ての場合に対応して、跳ね上りのない素直な玉筋の得られるゴルフパタークラブと為すことができる。アドレス角度で微調整が効くのも妙味のある事項である。
【００３３】
本発明は、上記実施の形態に限定されるものではなく、本発明の要旨を逸脱しない範囲で適宜変形することができ、各種態様で実施できる。
【００３４】
【発明の効果】
以上の通り、本発明のゴルフパタークラブは、フェース面をシャフト軸の前方に位置させると共に、フェース面の下端を上端に対し後方に位置させたオーバロフト型のゴルフパタークラブであるので、通常アドレスによるスタンスで順スピンをかけて投球することができる。また、オーバロフトの傾斜角度を３°とするので、十分な順スピンを得て、かつ跳ね上りがなく、素直でよく転がる投球をすることができる。アドレス角度で、微妙な調節ができるのも、プロ級の技の有る者にとっては、妙味のある事項である。
【図面の簡単な説明】
【図１】本発明の一実施形態に係るゴルフパタークラブの使用状況を示す側面図である。
【図２】図１に示すゴルフ球及びヘッド部分を拡大して示す部分拡大側面説明図である。
【図３】スイング速度に対するスピン量の実施例を比較例と共に示す線図である。
【図４】ロフト傾斜角度に対する飛行方向角度の実施例を比較例と共に示す線図である。
【符号の説明】
１  ゴルフパタークラブ
２  シャフト
３  ヘッド
３Ｆ  フェース面
４  グリップ
５  ゴルフ球
５Ｃ  ゴルフ球の中心
５Ｅ  ゴルフ球の赤道
５Ｒ  飛方向
６  芝
７  スイング軸
８  シャフト軸
９  地面
１０  スイング軸と接触点を通る線
１１  スイング軸と離反点を通る線
１２  スイング軸の回りの円弧
１３  順方向
α  スイング角度
θ  傾斜角
ＰＳ  接触点
ＰＥ  離反点
【図１】
2004187995.tif 000007
【図２】
2004187995.tif 000008
【図３】
2004187995.tif 000009
【図４】
2004187995.tif 000010